(57)【要約】【課題】ゴミ補正データの取得時に撮像素子前面の光学フィルタなどに付着した異物のみを精度良く検出し、ゴミ補正による画像劣化を抑制することを可能にした撮像装置を提供すること。【解決手段】第一の撮像素子と第二の撮像素子とそれぞれの撮像素子に対する異物検出手段と最終的な異物形状及び位置を決定する異物情報決定手段を備え、第一の撮像素子と第二の撮像素子の異物検出結果に応じて異物情報を決定することを特徴とする。【選択図】  図６
2016086202.tif 000002
【特許請求の範囲】
【請求項１】
被写体像を光電変化し、画像データを生成する第一の撮像素子４１８と、
前記第一の撮像素子とは異なる少なくとも一つ以上の第二の撮像素子４３０と、
前記第一の撮像素子４１８またはその前方に配置された光学系４１８ａに存在する異物の形状及び位置を検出する第一の異物検出手段４０２と、
前記第二の撮像素子４３０またはその前方に配置された光学系に存在する異物の形状及び位置を検出する第二の異物検出手段４０２と、
最終的な異物の形状及び位置を決定する異物情報決定手段４０２とを有し、
前記異物情報決定手段４０２は、前記第一の異物検出手段と前記第二の異物検出手段の異物検出結果に応じて、異物情報を決定することを特徴とする撮像装置。
【請求項２】
前記異物情報決定手段４０２は、前記第一の異物検出手段と前記第二の異物検出手段の異物検出結果を比較し、前記第一の異物検出結果と前記第二の異物検出結果が同一であると判定した場合には、前記第一の異物検出結果から対象の異物情報を削除し、前記第一の異物検出結果と前記第二の異物検出結果が同一ではないと判定した場合には、前記第一の異物検出結果から対象の異物情報はそのまま残すことを特徴とする請求項１に記載の撮像装置。
【請求項３】
前記異物情報決定手段４０２は、前記第一の撮像素子４１８の大きさ及び画素数に応じて、前記第二の撮像素子４３０の大きさ及び画素数を換算した後に、前記第一の異物検出手段と前記第二の異物検出手段の異物検出結果を比較することを特徴とする請求項２に記載の撮像装置。
【請求項４】
前記第一の撮像素子４１８の被写体有効範囲と比較して、前記第二の撮像素子４３０の被写体有効範囲が異なる場合には、異なる領域は、各々の前記第一の異物検出手段による異物検出結果及び前記第二の異物検出手段による異物検出結果を用いることとする請求項１乃至請求項３の何れか一項に記載の撮像装置。
【請求項５】
前記異物情報決定手段４０２は、前記第一の異物検出手段と前記第二の異物検出手段の異物検出結果を比較し、ある閾値範囲内に収まっていれば、同一であると判定し、ある閾値範囲内に収まっていなければ同一ではないと判定し、前記閾値は、画素毎に閾値を設定することを特徴とする請求項１乃至請求項４の何れか一項に記載の撮像装置。
【請求項６】
前記第二の撮像素子４３０は、電子ビューファインダ用の画像生成用の撮像素子であることを特徴とする請求項１乃至請求項５の何れか一項に記載の撮像装置。
【請求項７】
前記第二の撮像素子４３０は、被写体像の被写体輝度を測定する為の測光センサ用の撮像素子であることを特徴とする請求項１乃至請求項５の何れか一項に記載の撮像装置。
【発明の詳細な説明】
【技術分野】
【０００１】
本発明は、ＣＣＤやＣＭＯＳセンサ等の撮像素子を用いた撮像装置に関し、特に撮像素子の前方に配置された光学ローパスフィルタ等の光学素子の表面に付着した異物による画質劣化を抑制する技術に関する。
【背景技術】
【０００２】
被写体像を電気信号に変換して撮像するデジタルカメラ等の撮像装置では、撮影光束を撮像素子で受光し、その撮像素子から出力される光電変換信号を画像データに変換して、メモリカード等の記録媒体に記録する。撮像素子としては、ＣＣＤ（Ｃｈａｒｇｅ  Ｃｏｕｐｌｅｄ  Ｄｅｖｉｃｅ）やＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００３】
また、近年では記録媒体に保存する為の本画像生成用の撮像素子とは別に、本撮影前の構図確認用として用いる電子ビューファインダ用や被写体の輝度を測定する測光用として、撮像素子を有している撮像装置がある。
【０００４】
このような撮像装置では、撮像素子の被写体側に、光学ローパスフィルタや赤外吸収フィルタが配置されるが、これらフィルタの表面に塵埃等の異物が付着すると、その付着部分が黒い点となって撮影画像に写り込み、画像の見栄えが低下してしまう。
【０００５】
特にレンズ交換可能なデジタル一眼レフカメラでは、シャッタやクイックリターンミラーといった機械的な作動部が撮像素子の近傍に配置されており、それらの作動部から発生した塵埃等の異物が撮像素子やフィルタの表面に付着することがある。また、レンズ交換時に、レンズマウントの開口から塵埃等の異物がカメラ本体内に入り込み、これが付着することもある。
【０００６】
このような現象を回避するために、特許文献１には、撮像素子の被写体側に撮影光束を透過させる防塵フィルタを設け、これを圧電素子で振動させることにより、防塵フィルタの表面に付着した塵埃等の異物を除去する技術が提案されている。
【０００７】
また、上記異物除去機能を用いても付着した異物の中には除去しきれないものが存在する。そこで特許文献２では、均一輝度の被写体を撮影してその画像から光学系内の異物の位置や大きさの情報であるゴミ補正データを作成し、作成したゴミ補正データを用いて本撮影した画像の補正処理を行って、画質の品質を向上させる技術が開示されている。
【先行技術文献】
【特許文献】
【０００８】
【特許文献１】特開平０７−１５１９４６号公報
【特許文献２】特開２００４−２２２２３１号公報
【発明の概要】
【発明が解決しようとする課題】
【０００９】
しかしながら、前述の特許文献２に開示された従来技術において、ゴミ補正データを取得する為の撮影は、ユーザが実施しなければならず、一様な均一輝度の被写体を撮影する事は困難である。
【００１０】
例えば、ユーザが一様な被写体として白壁などを撮影した場合、壁に汚れがあるとその箇所も撮像素子前面の光学フィルタなどに付着した異物として誤った認識をしてしまう。その為、本来、補正する必要が無い箇所も不要な補正処理を施してしまい、画質が劣化してしまうおそれがあった。
【００１１】
本発明の目的は、ゴミ補正データの取得時に撮像素子前面の光学フィルタなどに付着した異物のみを精度良く検出し、ゴミ補正による画像劣化を抑制することを可能にした撮像装置を提供することにある。
【課題を解決するための手段】
【００１２】
上記の目的を達成するために、本発明は、被写体像を光電変化し、画像データを生成する第一の撮像素子と、前記第一の撮像素子とは異なる少なくとも一つ以上の第二の撮像素子と、前記第一の撮像素子またはその前方に配置された光学系に存在する異物の形状及び位置を検出する第一の異物検出手段と、前記第二の撮像素子またはその前方に配置された光学系に存在する異物の形状及び位置を検出する第二の異物検出手段と、最終的な異物の形状及び位置を決定する異物情報決定手段とを有し、前記異物情報決定手段は、前記第一の異物検出手段と前記第二の異物検出手段の異物検出結果に応じて、異物情報を決定することを特徴とする。
【発明の効果】
【００１３】
本発明によれば、ゴミ補正データの取得時に撮像素子前面の光学フィルタなどに付着した異物のみを精度良く検出し、ゴミ補正による画像劣化を抑制することを可能にした撮像装置を提供することができる。
【図面の簡単な説明】
【００１４】
【図１】本発明の実施の形態に係るデジタル一眼レフカメラのブロック図
【図２】本発明の実施の形態に係るデジタル一眼レフカメラの外観斜視図
【図３】本発明の実施の形態に係るデジタル一眼レフカメラの垂直断面図
【図４】被写体像と撮像素子の画素を重ね合わせたイメージ図
【図５】個々の撮像素子のゴミ検出処理を説明するフローチャート
【図６】ゴミ情報検出の精度向上方法を説明するフローチャート
【発明を実施するための形態】
【００１５】
以下に、本発明の好ましい実施の形態を、添付の図面に基づいて詳細に説明する。
【実施例１】
【００１６】
図１〜３を参照して、本発明の実施形態に係るレンズ交換式一眼レフデジタルカメラについて説明する。図１は、本発明の実施形態にかかわる撮像装置としてレレンズ交換式デジタル一眼レフカメラの回路構成を示すブロック図である。
【００１７】
図１において、マイクロコンピュータ４０２は被写体像を光電変換する撮像素子４１８が出力する座合データの処理や、ＬＣＤモニタ装置４１７の表示制御をはじめ、カメラ全体の動作を制御する。
【００１８】
スイッチ（ＳＷ１）４０５はレリーズ釦（撮像指示部材）１１４（図２参照）の半押し状態でオンになり、スイッチ（ＳＷ１）４０５がオンすると本実施形態のデジタルカメラは撮影準備状態になる。スイッチ（ＳＷ２）４０６はレリーズ釦１１４が最後まで押された状態（全押し状態）でオンし、スイッチ（ＳＷ２）４０６がオンすると本実施形態のデジタルカメラは撮影動作を開始する。
【００１９】
レンズ制御回路４０７は、撮影レンズ２００（図３参照）との通信及びオートフォーカス時の撮影レンズ２００の駆動制御や絞り制御を行う。
【００２０】
また図１において、外部表示制御回路４０８は、外部表示装置４０９やファインダ内の表示装置（不図示）の制御を行う。スイッチセンス回路４１０は、カメラに設けられた電子ダイヤル４１１、絞り込み釦４２９を含む多数のスイッチ類の信号をマイクロコンピュータ４０２に伝える。
【００２１】
ストロボ発光調光制御回路４１２は、Ｘ接点４１２ａを介して接地されており、外部ストロボの制御を行う。測距回路４１３は、オートフォーカスのための被写体に対するデフォーカス量を検出する。測光回路４１４は、被写体の輝度を測定する。
【００２２】
シャッタ制御回路４１５はシャッタの制御を行い、撮像素子４１８に対して適正な露光になるように制御する。
【００２３】
ＬＣＤモニタ装置４１７とバックライト照明装置４１６は、画像表示装置を構成している。記録装置４１９は例えばカメラ本体に着脱可能なハードディスクや半導体メモリカードなどである。
【００２４】
また、マイクロコンピュータ４０２には、Ａ／Ｄ変換回路４２３、画像バッファメモリ４２４、ＤＳＰなどからなる画像処理回路４２５、撮像素子内の所定画素そのものに欠陥があることを記録している画素欠陥位置メモリ４２６が接続されている。また、ゴミによる画像不良を起こしている撮像素子内の画素位置を記憶しているゴミ位置メモリ４２７も接続されている。なお、画素欠陥位置メモリ４２６及びゴミ位置メモリ４２７は不揮発性メモリを用いることが好ましい。また、欠陥画素位置メモリ４２６とゴミ位置メモリ４２７は同一メモリ空間の異なるアドレスを用いて記憶しても良い。
【００２５】
また、メモリ４２８はマイクロコンピュータ４０２が実行するプログラムなどを記憶する不揮発性のメモリである。
【００２６】
ライブビュー用の撮像素子４３０は撮影前にユーザが構図や被写体をＬＣＤモニタ４１７で確認するための画像生成用である。
【００２７】
図２は本実施形態にかかわるレンズ交換式一眼レフデジタルカメラの外観を示す斜視図、図３は図２の本実施形態にかかわるレンズ交換式一眼レフデジタルカメラの垂直断面図である。
【００２８】
図２においてカメラ本体１００の上部には、ファインダ観察用の接眼窓１１１、露出ロック釦１１２、オートフォーカスの測距点選択釦１１３、撮影操作をするためのレリーズ釦１１４が設けられている。また、電子ダイヤル４１１は、他の操作釦と併用してカメラ本体の設定値を変更するため、或いは撮影モードを切り替えるためなどの他機能信号入力装置である。また、外部表示装置４０９は液晶表示装置から構成され、シャッタスピード、絞り、撮影モードなどの撮影条件や他の情報を表示する。
【００２９】
また、カメラ本体１００の背面には、撮影された画像や各種設定画面などを表示するＬＣＤモニタ装置４１７、ＬＣＤモニタ装置４１７をオン／オフするためのモニタスイッチ１２１、十字配置スイッチ１１６、及びメニュー釦１２４が設けられている。
【００３０】
十字配置スイッチ１１６は、上下左右に配置された４つの釦と、中央に配置されたセット釦を有し、ユーザがＬＣＤモニタ装置４１７に表示されるメニュー項目などの選択や実行をカメラに指示する為に用いられる。
【００３１】
メニュー釦１２４は、ＬＣＤモニタ装置４１７にカメラの各種設定を行う為のメニュー画面を表示させるための釦である。例えば、撮影モードを選択、設定する時は、このメニュー釦を押した後、十字配置スイッチ１１６の上下左右の釦を操作して所望のモードを選択し、所望のモードが選択された状態でセット釦を押すことにより設定が完了する。
【００３２】
このメニュー釦１２４と十字配置スイッチ１１６は、ゴミ情報の取得を実施する場合にも使用する。
【００３３】
ライブビュー選択スイッチ１２５は、ライブビュー表示を行うか光学ファインダを使用するかを選択するスイッチである。
【００３４】
本実施形態のＬＣＤモニタ装置４１７は透過型であるため、ＬＣＤモニタ装置の駆動だけでは画像を視認する事は出来ず、その裏面にはバックライト照明装置４１６が配置されている。ＬＣＤモニタ装置４１７とバックライト照明装置４１６により、画像表示装置を構成している。
【００３５】
撮像光学系である撮影レンズ２００はカメラ本体１００に対してレンズマウント２０２を介して着脱可能である。図３において２０１は撮影光軸、２０３はクイックリターンミラーである。
【００３６】
クイックリターンミラー２０３は撮影光路中に配置され、撮影レンズ２００からの被写体光をファインダ光学系に導く位置（図３に示す位置）と撮影光路外に退避する位置との間で移動可能である。
【００３７】
ピント板２０４上にはクイックリターンミラー２０３からファインダ光学系に導かれる被写体光が結像される。２０５はファインダの視認性を向上させるためのコンデンサレンズ、２０６はペンタゴナルダハプリズムであり、ピント板２０４及びコンデンサレンズ２０５を通った被写体光をファインダ観察用の接眼レンズ２０８、及び測光センサ２０７或いはライブビュー用の撮像素子４３０に導く。
【００３８】
２０６ペンタゴナルダハプリズムには、一部が可動する可動ミラー２１８が配置されており、被写体光をファインダ光学系に導く位置とライブビュー用の撮像素子４３０に導く位置との間で移動可能である。ライブビュー選択スイッチ１２５でライブビュー表示が選択された場合には、ライブビュー用の撮像素子４３０に導く位置に移動する。
【００３９】
ライブビュー用の撮像素子で光電変換された信号はＡ／Ｄ変換回路４２３、画像バッファメモリ４２４、ＤＳＰなどからなる画像処理回路４２５を通して画像生成を行い、ＬＣＤモニタ装置４１７に表示する。
【００４０】
２０９、２１０はそれぞれシャッタを構成する後幕と先幕で、これら後幕２０９、先幕２１０の開放によって後方に配置されている固体撮像素子である撮像素子４１８が必要な時間だけ露光される。撮像素子４１８によって画素毎の電気信号に変換された撮像画像は、Ａ／Ｄコンバータ４２３や画像処理回路４２５などによって処理され、画像データとして記録装置４１９に記録される。なお、撮像素子４１８の前方には、光学ローパスフィルタ等の光学素子４１８ａが配置されており、この光学素子４１８ａの表面に付着した異物が撮像素子４１８で生成される画像に写り込む。
【００４１】
撮像素子４１８はプリント基板２１１に保持されている。このプリント基板２１１の後方には、表示基板２１５が配置されている。この表示基板２１５の反対側の面にＬＣＤモニタ装置４１７及びバックライ照明装置４１６が配置されている。
【００４２】
４１９は画像データを記録する記録装置、２１７は電池である。この記録装置４１９及び電池２１７はカメラ本体に対して着脱可能である。
【００４３】
（ゴミ検出処理）
図４、図５、図６を用いて撮像素子のゴミ検出処理について説明する。図４は撮像素子上に被写体像とゴミを重ね合わせたイメージ図である。
【００４４】
図４（ａ）において、４１８’は撮像素子４１８の一部の縦２０×横２０の画素を切り出したものである。尚、実際の撮像素子においてＲ、Ｇ、Ｂの三色の画素が規則的な組合せで配列されているが、本実施形態では説明の簡略化の為、画素の色成分に関しては不問としている。
【００４５】
ここで、各画素は下記で位置を表すものとする。
（ｒ［ｘ］，ｃ［ｙ］）    ｘ＝１，２，３・・・２０、ｙ＝１，２，３・・・２０
図４（ａ）において、５０１は光学素子４１８ａの表面に付着した異物である。異物５０１に重なっている撮像素子４１８の画素領域５０２（（ｒ８，ｃ１５）（ｒ８，ｃ１６）（ｒ８，ｃ１７）（ｒ９，ｃ１５）（ｒ９，ｃ１６）（ｒ９，ｃ１７）（ｒ１０，ｃ１５）（ｒ１０，ｃ１６）（ｒ１０，ｃ１７）（ｒ１１，ｃ１５）（ｒ１１，ｃ１６）（ｒ１１，ｃ１７）（ｒ１２，ｃ１５）（ｒ１２，ｃ１６）（ｒ１２，ｃ１７））は、被写体光が遮られるため輝度が低下する。
【００４６】
また、５０３は被写体とした白壁に存在する黒い模様（キズ）である。本来被写体としては一様であることが望ましいが、実際にはそのような被写体を撮影する事は困難で、５０３の様な模様が入ってしまうことがある。そのため、壁の模様５０３に対応する画素領域５０４（（ｒ３，ｃ６）（ｒ３，ｃ７）（ｒ４，ｃ６）（ｒ４，ｃ７）（ｒ５，ｃ６）（ｒ５，ｃ７）（ｒ６，ｃ６）（ｒ６，ｃ７））も異物による輝度低下している画素領域５０２と同様に輝度が低下する。
【００４７】
また、図４（ｂ）は図４（ａ）と同一の被写体に対してライブビュー用の撮像素子４３０の一部の縦２０×横２０の画素を切り出し、被写体像と重ね合わせたイメージ図である。
【００４８】
ここで、説明の簡略化の為、記録する画像生成用の撮像素子４１８とライブビュー用の撮像素子４３０の画素サイズ及び対応する画角は同等とする。すなわち、撮像素子４１８の画素（ｒ１，ｃ１）と撮像素子４３０の画素（ｒ１’，ｃ１’）は被写体像に対して、同一の場所になる。
【００４９】
図４（ｂ）において、被写体に存在する模様５０３は撮像素子４１８と同様に撮像素子４３０にも存在するので、画素領域５１０の輝度は低下する。
【００５０】
しかしながら、光学素子４１８’に付着しているゴミ５０１は撮像素子４３０の画素には写り込まない。従って、画素領域５０２に対応する画素領域５１１の輝度は低下しない。
【００５１】
すなわち、撮像素子４１８と撮像素子４３０の両方に写り込んでいるゴミは被写体に存在するものだと判断し、これをゴミ位置情報から除外する事でゴミ位置情報の精度を向上させる事が出来る。
【００５２】
図５は本実施形態にかかわるデジタルカメラの個々の撮像素子のゴミ検出処理を説明するフローチャートである。
【００５３】
メニュー釦１２４をユーザが操作するとＬＣＤモニタ４１７にカメラの各種設定画面を表示する。そこで、十字配置スイッチ１１６によってゴミ情報取得が選択された場合、ゴミ取得モードに移行する。
【００５４】
（Ｓ６０１）ユーザは白壁など一様な被写体として撮影を行う。ユーザによりレリーズ釦１１４がオンされると所定の撮影動作を行い、撮像素子４１８より得られた画像データを取得する。
【００５５】
（Ｓ６０２）異物検出手段はマイクロコンピュータ４０２により実現されており、得られた画像データから各画素の平均輝度を算出する。
【００５６】
（Ｓ６０３）前記算出した平均輝度からゴミ判定閾値を決定する。
【００５７】
（Ｓ６０４）各画素の輝度とゴミ判別閾値とを比較して、閾値以下の場合にはＳ６０５へ移行する。
【００５８】
（Ｓ６０５）ゴミ判別閾値以下と判定された画素に対して、欠陥画素位置メモリ４２６の情報と照合し、欠陥画素では無い場合にはゴミが付着していると判別し、Ｓ６０６へ移行する。欠陥画素の場合にはゴミでは無いと判別して、Ｓ６０７へ移行する。
【００５９】
（Ｓ６０６）ゴミが付着していると判別された画素情報をゴミ位置メモリ４２７へ記録する。
【００６０】
（Ｓ６０７）撮像素子の全画素に対してゴミ検出処理が終わっていなければ、Ｓ６０４に戻って全画素処理するまで繰り返す。全画素ゴミ検出処理が終わっていれば、ゴミ情報取得モードを終了する。
【００６１】
尚、本実施形態では説明の簡略化の為、画素の色成分に関しては不問としたが、画素の色毎にゴミ検出の閾値を可変させても良いし、色情報を基にゴミ検出をしても良い。さらに、本実施形態では説明の簡略化の為、個々の撮像素子のゴミ検出においては、画素毎の輝度情報のみからゴミ検出を行うものとしたが、これに限るものではない。
【００６２】
図６は本実施形態にかかわるデジタルカメラのゴミ検出精度向上のためのゴミ検出フローチャートである。
【００６３】
メニュー釦１２４をユーザが操作するとＬＣＤモニタ４１７にカメラの各種設定画面を表示する。そこで、十字配置スイッチ１１６によってゴミ情報取得が選択された場合、ゴミ情報取得モードに移行する。
【００６４】
（Ｓ７０１）ゴミ情報取得モードに移行すると可動ミラー２１８をライブビュー用の撮像素子４３０へ被写体光を導く位置に移動させる。
【００６５】
（Ｓ７０２）ユーザは白壁など一様な被写体として撮影を行う。ユーザによりレリーズ釦１１４が操作せれる待機状態になる。ユーザによりレリーズ釦１１４がオンされるとＳ７０４へ移行する。
【００６６】
（Ｓ７０３）この時、ゴミ情報取得モードをキャンセルする操作がユーザから入力された場合には、ゴミ情報取得モードを終了する。
【００６７】
（Ｓ７０４）異物検出手段（マイクロコンピュータ）４０２は撮像素子４３０の画像データを取得する。
【００６８】
（Ｓ７０５）マイクロコンピュータ４０２は撮影レンズ２００を所定の絞りで駆動すると共に、クイックリターンミラー２０３を退避位置へ移動する。さらにシャッタの後幕２０９、先幕２１０を駆動し撮像素子４１８を所定時間露光させる。
【００６９】
（Ｓ７０６）異物検出手段（マイクロコンピュータ）４０２は撮像素子４１８より得られた画像データを取得する。
【００７０】
（Ｓ７０７）異物検出手段（マイクロコンピュータ）４０２は撮像素子４１８及び撮像素子４３０それぞれから取得した画像データに対して、前記、図５のフローチャートで説明したＳ６０１からＳ６０５の処理を実施する。
【００７１】
（Ｓ７０８）異物情報決定手段はマイクロコンピュータ４０２により実現されており、検出した撮像素子４１８のゴミ位置と撮像素子４３０のゴミ位置を比較する。同一位置に存在した場合は、被写体に存在する模様であると判断して対象をゴミ位置メモリ４２７から削除する（Ｓ７０９）。
【００７２】
比較した結果、同一位置に存在しない場合には光学素子４１８に付着したゴミと判断し、ゴミ情報としてゴミ位置メモリ４２７に保存する（Ｓ７１０）。
【００７３】
（Ｓ７１１）全ゴミ情報に対して異物情報決定手段により、光学素子４１８に付着したゴミか否かの判断が終了していなければ、全ゴミ情報が終了するまで、Ｓ７０８へ戻って処理を繰り返す。全ゴミ情報に対して処理が終了していれば、ゴミ位置情報取得動作を終了する。
【００７４】
以上述べたように本実施の形態によれば、複数の撮像素子のゴミ情報取得結果から最終的なゴミ位置情報を生成するので、被写体に存在するキズや模様をゴミ情報として誤って検出する事が無く、不要な補正処理を施して画質劣化してしまうことを抑制する事が可能となる。
【００７５】
尚、説明の簡略化の為、第一の撮像素子と第二の撮像素子の画素の大きさを同一としたが、これに限るものではない。例えば、第一の撮像素子の画素に対して、第二の撮像素子の画素が大きい場合には、その比率を算出しゴミ位置検出閾値を変更しても良い。さらに、被写体に対する画角が異なる場合には、重複する画素に対してのみ適用することとしても良い。
【００７６】
また、本実施の形態として第二の撮像素子としてライブビュー用の撮像素子について説明したが、これに限るものではなく、測光用のセンサやそれ以外の撮像素子を用いても良い。
【００７７】
以上、本発明の好ましい実施形態について説明したが、本発明はこれらの実施形態に限定されず、その要旨の範囲内で種々の変形及び変更が可能である。
【符号の説明】
【００７８】
１００  カメラ本体、４０２  マイクロコンピュータ、４１８  撮像素子、
４２７  ゴミ位置メモリ、４３０  ライブビュー用撮像素子
【図１】
2016086202.tif 000003
【図２】
2016086202.tif 000004
【図３】
2016086202.tif 000005
【図４】
2016086202.tif 000006
【図５】
2016086202.tif 000007
【図６】
2016086202.tif 000008